(57)【特許請求の範囲】
【請求項１】
天井裏などにケーブルを配線するに際し、ケーブルが空調ダクトに隣接又は交差する場所においては、ダクトの構成部材の接合部のフランジ同士の結合部に、前記フランジ同士の結合部が嵌入する嵌合溝部を下面中央部に有すると共に、この中央部からダクト上面に向かって傾斜しながら延在する裾部を上面に有するケーブル保護具を被せて、ケーブルを空調ダクトの上面に直接載せて配線することを特徴とする空調ダクトに隣接又は交差するケーブルの配線方法。
【発明の詳細な説明】
【０００１】
【発明の属する技術分野】
本発明は、空調ダクトに隣接又は交差するケーブルの配線方法に関するものである。
【０００２】
【従来の技術】
従来、照明器具の電源線、空調ダクトの設備配線等の強電配線のケーブルや、ＯＡ端末器の情報ケーブルや通信線等の弱電配線のケーブル（以下単にケーブルという）は、天井裏を利用したケーブルラックで行っている。
【０００３】
即ち、図６に示すように、ダクト１０とケーブル２１とを同一ルートで配設する場合、吊り元（全ねじ）１及びバー２により吊り支えたダクト１０と、吊り元１及びバー２により吊り支えたケーブルラック２０とを並置して、同一方向に配設し、このケーブルラック２０によりケーブル２１を支持している。
【０００４】
また、ダクト１０とケーブル２１とを交差させて配設する場合は、同一平面内では交差が実現できないため、どちらかを迂回させている。例えば、図７に示すように、既にダクト１０が吊り支えられているときは、ケーブルラック２０を湾曲させてダクト１０の下側又は上側に迂回させ、ダクト１０の両側にて吊り元１及びバー２によりケーブルラック２０を吊り支えることにより、ケーブル２１を支持している。
【０００５】
これは、ダクトが空調工事業者により施工され、またケーブルラックが電気工事業者により施工されるためである。
【０００６】
【発明が解決しようとする課題】
しかしながら、ケーブル２１をダクト１０と同一ルートで配設する場合に、ダクト１０とは別個に、ケーブル２１のための吊り元１やバー２やケーブルラック２０等の設備を用意し設置しなければならず、不経済である。また天井面の専有面積が必然的に大きくなるという問題もある。
【０００７】
また、ケーブル２１をダクト１０に交差させる場合、ケーブルラック２０自体を湾曲させて迂回させることは非常に手数がかかる。
【０００８】
更にまた、天井裏などにケーブルを配線する際、独自にケーブルラック２０を設置すると、空調ダクトに隣接又は交差する場所では、互いに施工スペースが不足する。
【０００９】
そこで、本発明の目的は、上記課題を解決し、空調ダクトにケーブルが隣接又は交差する場所で、互いに施工スペースが不足せず、かつ、一方が迂回しなくて済む空調ダクトに隣接又は交差するケーブルの配線方法を提供することにある。
【００１０】
【課題を解決するための手段】
上記の目的を達成するために、本発明による空調ダクトに隣接又は交差するケーブルの配線方法は、天井裏などにケーブルを配線するに際し、ケーブルが空調ダクトに隣接又は交差する場所においては、ダクトの構成部材の接合部のフランジ同士の結合部に、前記フランジ同士の結合部が嵌入する嵌合溝部を下面中央部に有すると共に、この中央部からダクト上面に向かって傾斜しながら延在する裾部を上面に有するケーブル保護具を被せて、ケーブルを空調ダクトの上面に直接載せて配線するものである。
【００１１】
ケーブルをダクトと同一ルートで配設する場合には、ケーブルを空調ダクトの上面に直接載せて配線することで、ダクトのための吊り元やバーをケーブルのために兼用でき、またケーブルラックの設備を省略することができるので、非常に経済的である。またケーブルとダクトとは上下に重なるので天井面の面積空間を大きくとらず、施工も容易となる。
【００１２】
また、ケーブルをダクトに交差させて配設する場合、その交差している部分においては、ケーブルをダクト上面に直接に載せて支持させるので、従来のように、ケーブルラックを湾曲させてダクトの下側又は上側に迂回させる必要がない。従って、資材の節約になり、また、上下方向の空間も必要とせず、施工も容易になる。
【００１３】
【発明の実施の形態】
以下、本発明の実施の形態を図面に基づいて説明する。
【００１４】
図１は、ダクト１０とケーブル２１とを同一ルートで配設する場合を示したものであり、吊り元（全ねじ）１及びバー２により吊り支えられたダクト１０の上面１１には、複数本のケーブル２１が直接載せられてダクト１０と同一方向に延在されている。ダクト１０の上面１１の両側部には、このケーブル２１が側方に脱落するのを防止するための脱落防止具３０が設けられている。この脱落防止具３０は、ここでは図３に示すように、Ｌ字断面形状のゴム製の条片３１から成り、そのＬ字の内側面３２が互いに向き合うように配置され、かつ、その底面３３を接着剤３４にて接着することにより、ダクト上面１１に固定されている。
【００１５】
ダクト１０の構成部材接続部の突出部つまりフランジ１２同士の結合部１３には、図４に示すように、ゴム製のクッション部材から成るケーブル保護具４０が被せられている。このケーブル保護具４０は、フランジ１２同士の結合部１３が嵌入する嵌合溝部４２を形成するリブ４１を下面中央部に有し、さらに、この中央部から前後になめらかにダクト上面１１に向かって傾斜しながら延在する裾部４３を有する。ダクト１０上のケーブル２１は、このケーブル保護具４０の断面山形の表面に沿って、なめらかにダクトフランジ１２の結合部１３を乗り越えるため、その損傷がまぬがれる。
【００１６】
更に、ダクト１０は、その上面１１から吊り元１にかけて張り渡した荷重保持具５０により支持されている。この荷重保持具５０は、図５に示すように、ダクト上面１１に接着剤で固定した引掛け金具５１と、吊り元１の途中に固定した引掛け金具５２との間を、ターンバックル５４付の連結棒５３により連結し、これに緊張を与えてダクト１０を上方から支持するものである。但し、この荷重保持具５０は、ダクト１０の上面１１に直接載せるケーブルの重さとの関係によっては、省略することもできる。
【００１７】
なお、ダクト１０及びケーブルラック２０は低圧屋内配線用として必ず接地される。
【００１８】
図２は、ケーブル２１をダクト１０に交差させて配設する場合を示したものである。従来では、同一平面内では交差が実現できないため、どちらかが迂回しなければならなかったが、ここでは交差している部分においては、ケーブル２１をダクト上面１１に直接に載せて支持させることにより、ケーブルラック２０を省略している。即ち、吊り元１及びバー２によりケーブルラック２０を吊り支えてケーブル２１を支持するという形態は、ここではダクト１０と交差する直前まで及び交差した直後からのみ行われている。従って、従来のように、ケーブルラック２０を湾曲させてダクト１０の下側又は上側に迂回させる必要がなく、資材の節約になる。また、上下方向の空間も必要とせず、施工も容易になる。
【００１９】
この図２のダクト１０の上面１１にも、ケーブル２１群の両側方に、このケーブル２１が側方に脱落するのを防止するための脱落防止具３０が設けられている。この脱落防止具３０は、ここでは図３に示したものと同じである。
【００２０】
なお、上記脱落防止具３０及びケーブル保護具４０はゴム以外の弾性体又は合成樹脂で形成することもできる。
【００２１】
【発明の効果】
以上説明したように本発明によれば、ケーブルが空調ダクトに隣接又は交差する場所においては、ケーブルを空調ダクトの上面に直接載せて配線するので、次のような効果が得られる。即ち、ケーブルをダクトと同一ルートで配設する場合には、ケーブルを空調ダクトの上面に直接載せて配線することで、ダクトのための吊り元やバーをケーブルのために兼用でき、またケーブルラックの設備を省略することができるので、非常に経済的である。またケーブルをダクトとは上下に重なるので天井面の面積空間を大きくとらず、施工も容易となる。
【００２２】
また、ケーブルをダクトに交差させて配設する場合、その交差している部分においては、ケーブルをダクト上面に直接に載せて支持させるので、従来のように、ケーブルラックを湾曲させてダクトの下側又は上側に迂回させる必要がない。従って、資材の節約になり、また、上下方向の空間も必要とせず、施工も容易になる。
【図面の簡単な説明】
【図１】本発明によるケーブルの配線方法の実施形態を示す図である。
【図２】本発明によるケーブルの配線方法の他の実施形態を示す図である。
【図３】本発明による図１及び図２の実施形態に用いたケーブルの脱落防止具を示す図である。
【図４】本発明による図１の実施形態に用いたケーブル保護具を示す図である。
【図５】本発明による図１の実施形態に用いた荷重保持具を示す図である。
【図６】従来の空調ダクトに隣接するケーブルの配線方法を示した図である。
【図７】従来の空調ダクトに交差するケーブルの配線方法を示した図である。
【符号の説明】
１  吊り元
２  バー
１０  ダクト
１１  上面
１２  フランジ
１３  結合部
２０  ケーブルラック
２１  ケーブル
３０  脱落防止具
３１  条片
３２  内側面
３３  底面
３４  接着剤
４０  ケーブル保護具
４１  リブ
４２  嵌合溝部
５０  荷重保持具
５１  引掛け金具
５２  引掛け金具
５３  連結棒
５４  ターンバックル
【図１】
0003750233.tif 000002
【図２】
0003750233.tif 000003
【図３】
0003750233.tif 000004
【図４】
0003750233.tif 000005
【図５】
0003750233.tif 000006
【図６】
0003750233.tif 000007
【図７】
0003750233.tif 000008